(57)【要約】【課題】ジャケット内面と杭との干渉を避けるようにし、且つ上部工設置後にジャケット内に注入するグラウト留めの役割を果たせるようにする。【解決手段】斜板１に複数のジャケット２の上端を固定してなる上部工３を海底面５上に据え置き、次に、各ジャケット２内に鋼管製の杭４を上方より通して海底に打ち込む。これに先立って、杭４の外側面に、長手方向に所要間隔でゴム製のプレート１３をリング状に配して、各々杭４の外側面に固定した取付フランジ１４に取り付ける。外側面にリング状のプレート１３を有する杭４をジャケット２内に挿通させるときに、各段のリング状プレート１３をジャケット２の内面に当てるようにし、杭４が多少傾いてもリング状プレート１３が緩衝材として機能するようにする。杭４を打設後は、ジャケット２の下端部に位置するリング状プレート１３ａをグラウト留めとして機能させるようにする。【選択図】　　　　図１
2004060177.tif 000002
【特許請求の範囲】
【請求項１】
斜板と複数のジャケットからなる上部工を設置し、次いで、杭をジャケットに通し打設して各杭にて上部工を支持させた後、ジャケットと杭との間の隙間にグラウトを注入して固定する有脚式離岸堤の据付方法において、上記杭の長手方向に所要間隔を置いてプレートをリング状に取り付けて、該杭の上端側に取り付けられたリング状プレートの１つを、上部工設置時のジャケット下端部に位置するようにし、上部工の各ジャケットに杭を通して打設するときに該杭のリング状プレートをジャケット内面に沿わせながら杭を通すようにし、杭打設後、ジャケット下端部に位置するリング状プレートをグラウト留めとしてジャケット内にグラウトを注入するようにすることを特徴とする有脚式離岸堤の据付方法。
【請求項２】
斜板と複数のジャケットからなる上部工を、打設された杭にジャケットを被せるようにして設置した後、ジャケットと杭との間の隙間にグラウトを注入して固定する有脚式離岸堤の据付方法において、上記杭の上端側に、長手方向に所要間隔を置いてプレートをリング状に取り付けて、該杭の上端側に取り付けられたリング状プレートの１つを、上部工が設置されたときのジャケット下端部に位置するようにし、杭を打設してから該杭の上端側のリング状プレートの外側に沿わせてジャケットを杭に被せるようにし、上部工の設置後に、ジャケット下端部に位置するリング状プレートをグラウト留めとしてジャケット内にグラウトを注入するようにすることを特徴とする有脚式離岸堤の据付方法。
【請求項３】
杭に取り付けるリング状プレートの取付間隔を、ジャケットの長さよりも狭い寸法とした請求項１又は２記載の有脚式離岸堤の据付方法。
【請求項４】
杭に取り付けるリング状プレートを、弾性を有するものとした請求項１、２又は３記載の有脚式離岸堤の据付方法。
【発明の詳細な説明】
【０００１】
【発明の属する技術分野】
本発明は沖合いの海面付近に設置して消波し、陸側を静穏域とする消波構造物としての有脚式離岸堤の据付方法に関するものである。
【０００２】
【従来の技術】
近年、外洋に面する海域において設置される消波構造物として、シンプルで強固な構造のため信頼性の高い有脚式離岸堤（斜板堤）の需要が増している。
【０００３】
上記有脚式離岸堤は、斜板で波浪を砕波させ、その波エネルギーを大幅に低減させるもので、その一例の概略を図３に示す如く、所要の長さ及び幅を有するコンクリート製の斜板（消波板）１の下面の複数個所に、下端が海底に達する長さとしてある管状のジャケット２の各上端を取り付けて一体化してなる上部工３と、該上部工３の各ジャケット２内に挿通させて上部工３を支えるようにする鋼管製の杭４とからなり、設置位置まで搬送した上部工３を、斜板１の低い方が沖側へ向くようにしてジャケット２を海底面５に接地させ且つ斜板１が海面付近に位置するように据え置き、該上部工３のジャケット２に挿通させて海底に打ち込まれた杭４により上部工３を支持させて、斜板１が横方向に連続させられるようにしてあり、斜板１上に波６ａが達すると、該斜板１上で砕波されて波エネルギーの逸散により消波されると共に、斜板１上からの反射波６ｂにより消波され、又、斜板１を波が越えるときの越波による水塊と斜板１の下側を通過する波が干渉することによる波エネルギーの逸散により消波されるようにしてある。
【０００４】
上記有脚式離岸堤の据付方法には、上部工３を設置してからジャケット２に杭４を通して打ち込んで上部工３を支持した後、ジャケット２の内周面と杭４の外周面との間の隙間にグラウト１２を注入して、ジャケット２と杭４を固定させるようにする方法と、設置すべき沖合いの海底に、上部工３のジャケット２の間隔に合わせて杭４を先に打ち込んで、各杭４の頭部を海底から一定長さだけ突出させておくようにしてから、該杭４の上方よりジャケット２を被せるようにして上部工３を設置した後、ジャケット２の内周面と杭４の外周面との間の隙間にグラウト１２を注入して、ジャケット２と杭４を固定させるようにする方法がある。
【０００５】
上記いずれの据付方法においても、従来では、ジャケット２の内面の複数個所、すなわち、図４に示す如き上下方向（長手方向）の２個所以上（図では上下３個所）に、ジャケット２に杭４を挿入したときの両者間の隙間に相当する厚み（高さ）を有し且つ上下両端側に傾斜したガイド面７ａを有するスペーサ７を、周方向へ所要間隔を隔てて溶接により取り付けて、ジャケット２に杭４を挿通させるとき、あるいは杭４にジャケット２を被せるときに、各段のスペーサ７を利用してジャケット２の内面と杭４との直接的な干渉を防ぎ隙間を確保するようにしている。又、特に、上部工３を後から設置する場合で、ジャケット２を、打設後の杭４に被せる方法の場合には、図５に示す如く、予めジャケット２の下端に、傾斜したガイド面８ａを有する挿入ガイド８を、ガイド面８ａが内側となるようにして周方向の複数個所（たとえば、４個所）に嵌着させておき、上部工３を吊り上げて該上部工３の各ジャケット２の下端部を各杭４の頭部上方に位置させてから上部工３を下降させ、各ジャケット２の下端部の挿入ガイド８に沿わせて杭４の外側に嵌めるようにして被せるようにしており、ジャケット２を杭４に被せ終ると、挿入ガイド８を撤去するようにしている。
【０００６】
更に、杭４を海底に打ち込んで上部工３を支持した状態で、ジャケット２の内周面と杭４の外周面との間の隙間にグラウト１２を注入して、ジャケット２と杭４とを固定接合させる場合は、グラウト１２がジャケット２の外へ流出することによる海洋汚染を未然に防止する必要上、ジャケット２にグラウト留めを取り付けることとされており、そのため、従来では、図６に示す如く、ジャケット２の下端部内面に、グラウト注入前の段階でグラウト留めとしてのシール板９を溶接又はボルト止めにて取り付けておき、該シール板９より上方位置のジャケット２側壁に設けたグラウト注入口１０を通してグラウト供給管１１によりグラウト１２を注入し、グラウト留めとしてのシール板９の上方にグラウト１２を充填させるようにしている。
【０００７】
【発明が解決しようとする課題】
ところが、従来の有脚式離岸堤の据付方法では、ジャケット２の内面にスペーサ７を取り付けてジャケット２と杭４との間に隙間を確保することにより両者の干渉を防ぐようにしているが、スペーサ７は、ジャケット２の内面の複数個所に設けなければならず、且つジャケット２の内側に作業者が入って溶接等の作業をしなければならず、スペーサ７の設置が大変であり、特に、ジャケット２の内径が小さい場合は、スペーサ７の設置作業がより大変となるという問題があり、又、杭４がジャケット２内を通されるときに、杭４がスペーサ７に当った場合、スペーサ７に設けられたガイド面７ａにより沿わされるが、相当な局部荷重がかかり、スペーサ７が破壊されるおそれもある。更に、グラウト留めとしてのシール板９の取り付けは海中作業のため、作業性が悪くて精度を出し難いこと、グラウト留めとしてのシール板９をゴム製とした場合には、劣化し易いことを考慮して施工間際にジャケット２に取り付けるようにする必要があり、海中作業を急ぐことが求められること、等の問題がある。
【０００８】
そこで、本発明は、従来ジャケット内面に取り付けていたスペーサを不要にすると共に、グラウト留めの設置も容易に行えるようにした有脚式離岸堤の据付方法を提供しようとするものである。
【０００９】
【課題を解決するための手段】
本発明は、上記課題を解決するために、斜板と複数のジャケットからなる上部工を設置し、次いで、杭をジャケットに通し打設して各杭にて上部工を支持させた後、ジャケットと杭との間の隙間にグラウトを注入して固定する有脚式離岸堤の据付方法において、上記杭の長手方向に所要間隔を置いてプレートをリング状に取り付けて、該杭の上端側に取り付けられたリング状プレートの１つを、上部工設置時のジャケット下端部に位置するようにし、上部工の各ジャケットに杭を通して打設するときに該杭のリング状プレートをジャケット内面に沿わせながら杭を通すようにし、杭打設後、ジャケット下端部に位置するリング状プレートをグラウト留めとしてジャケット内にグラウトを注入するようにしたり、斜板と複数のジャケットからなる上部工を、打設された杭にジャケットを被せるようにして設置した後、ジャケットと杭との間の隙間にグラウトを注入して固定する有脚式離岸堤の据付方法において、上記杭の上端側に、長手方向に所要間隔を置いてプレートをリング状に取り付けて、該杭の上端側に取り付けられたリング状プレートの１つを、上部工が設置されたときのジャケット下端部に位置するようにし、杭を打設してから該杭の上端側のリング状プレートの外側に沿わせてジャケットを杭に被せるようにし、上部工の設置後に、ジャケット下端部に位置するリング状プレートをグラウト留めとしてジャケット内にグラウトを注入するようにする有脚式離岸堤の据付方法とする。
【００１０】
杭にリング状プレートを取り付けておくことにより、リング状プレートが緩衝材としての役割を果たし、杭とジャケットの干渉を防止できる。杭の外側にリング状プレートを取り付けるので、リング状プレートの取り付けが簡単であり、又、杭の上端側のリング状プレートの１つはグラウト留めして用いられるので、グラウト留めして別途シール板等を用意する必要がなく、しかも、グラウト留めとして用いるリング状プレートがゴム製であっても、ジャケットの内面に取り付ける場合の如き海中作業となることはなく、打ち込む直前の杭に取り付ければよく、作業が楽である。
【００１１】
又、リング状プレートを弾性を有するものとすることにより、ジャケットと杭の相対変位で変形しても復元してスペーサやグラウト留めして充分に機能し得る。
【００１２】
更に、リング状プレートの取付間隔をジャケットの長さより狭くしておくことにより、杭がジャケット内でリング状プレートに接する状態を実現できる。
【００１３】
【発明の実施の形態】
以下、本発明の実施の形態を図面を参照して説明する。
【００１４】
図１は本発明の有脚式離岸堤の据付方法の実施の一形態として、図３に示す如く、斜板１の下側面に複数の管状のジャケット２の各上端を取り付けて構成してなる上部工３を、設置位置まで搬送して先に海底面５上に沈下して据え置き、次いで、鋼管製の杭４を各ジャケット２に上方より通して海底に打ち込んで、各杭４により上部工３を支持させるようにする据付方法の場合について示す。
【００１５】
図３に示す場合と同様に、コンクリート製の斜板１と複数のジャケット２とからなる上部工３を製作して、沖合いの据付位置に、斜板１の低い方が沖側となるようにし且つ斜板１が海面付近に位置するよう設置する。
【００１６】
上記上部工３のジャケット２に通して海底に打ち込む鋼管製の杭４の外表面に、該杭４の打設前にゴム（たとえば、天然ゴムを成形したもの）製のリング状プレート１３を長手方向に所要間隔で取り付けておくようにする。すなわち、杭４の先端側（下端側）から末端側（上端側）までの外表面に、長手方向に所要間隔（たとえば、ジャケット２の長さよりも短い間隔）で取付フランジ１４を溶接等にて取り付け、該各取付フランジ１４に、杭４の外周面とジャケット２内周面との間の隙間を埋める外径と内径を有するような大きさとしたゴム製のプレート１３を全周にわたり取り付け、取付フランジ１４を介してゴム製のプレート１３を杭４に一体的に取り付けておくようにし、更に、杭４の上端側では杭４を打ち込み終えたときにジャケット２の下端部となる位置を予め定めて、その位置にゴム製のプレート１３ａを取り付けておくようにし、当該位置に取り付けられたプレート１３ａを、後述するグラウト注入時のグラウト留めとして使用するようにする。
【００１７】
上部工３を海底上に設置した後に、該上部工３の各ジャケット２に杭４を上方から挿通させて打設するときは、杭４の先端側（下端側）をジャケット２内に挿入して該ジャケット２内を下降させて行く。この際、杭４の長手方向に所要間隔で取り付けられているゴム製のプレート１３がジャケット２の内面に当りながら杭４がジャケット２内を案内されるため、上記ゴム製のプレート１３がスペーサ７の役割りを果たして、杭４がジャケット２の内面に直接衝突することを防止することができ、しかも、プレート１３はゴム製であるため、弾力性があって緩衝材としても機能することができて、円滑に杭４をジャケット２内に通すことができる。なお、プレート１３の外周面に油を塗る等しておけば、ジャケット２の内面に沿った動きをより円滑に行わせることができる。又、杭４には、上記のように先端側から所要間隔でゴム製のプレート１３が取り付けてあるため、杭４が打設を終えるまでジャケット２内では常にいずれかのプレート１３の外周部がジャケット２の内面に接している状態を実現できる。これにより、従来の如きジャケット２内にスペーサ７を溶接により取り付けておく必要がなく、従来のスペーサ７取り付けのための手数やスペーサ７の製作、取り付けの費用をなくすことができる。
【００１８】
各ジャケット２に杭４を通して打設が終ると、各ジャケット２の下端部に設けられているグラウト注入口１０を通してグラウト供給管１１によりグラウト１２をジャケット２内に注入するが、打設を終えた杭４の上端側で且つジャケット２の下端部の内側に位置するところには、予め取付位置を決めて取り付けられたゴム製のプレート１３ａがあるので、該プレート１３ａをグラウト留めとして使用してグラウト注入を行うようにする。これによりジャケット２内での杭４のスペーサとして機能するゴム製のプレート１３ａを、グラウト留めとして機能させることができて、従来の如きジャケット２の内側にグラウト留めを設置する必要性をなくすことができる。
【００１９】
次に、図２は本発明の実施の他の形態として、杭４を先に海底に打ち込んで、杭４の上端部を所要長さ海底面より上方へ突出させておき、各杭４に上部工３の各ジャケット２を上方から挿入して杭４に上部工３を支持させるようにする据付方法の場合を示すもので、この場合は、杭４の上端側が海底より上方へ突出する部分の少なくとも上下２個所に、前記と同様に取付フランジ１４を介してゴム製のプレート１３ａを全周にわたり設けるようにする。
【００２０】
打設されて海底より上方へ突出する杭４の上端部に、上部工３のジャケット２を嵌めて、該上部工３を下降させて海底に設置する場合、杭４の外側に取り付けてあるゴム製のプレート１３がスペーサ７としての役割りをするので、ジャケット２と杭４の間隔を保持して上部工３を下降し設置することができる。
【００２１】
上部工３を杭４に沿い下降させて、各杭４で上部工３を支持させると、各ジャケット２と杭４との間にグラウト１２を注入して両者を固定するようにするが、杭４に取り付けたゴム製のプレート１３のうち、ジャケット２の下端部に対応させて予め杭４に取り付けてあるゴム製のプレート１３ａをグラウト留めとして使用して、その上方よりグラウト１２を注入するようにする。
【００２２】
この実施の形態においては、ゴム製のプレート１３を杭４の上端部のみに取り付けておけばよいので、杭４の全長にわたって取り付ける場合に比して取付個所が少なくてすみ、取付けに要する時間と労力をより削減することができるほか、前記実施の形態と同様の効果が得られる。
【００２３】
なお、本発明は上記実施の形態にのみ限定されるものではなく、たとえば、ゴム製のプレート１３，１３ａを杭４に取り付ける場合を例示したが、杭４に容易に取り付けられてジャケット２内ではスペーサ７としての役割りを果たし且つ緩衝作用を有するものであれば、ゴム以外のもの、たとえば、発泡スチロールの如きものでもよいこと、ジャケット２の下端に図５の如く挿入ガイド８を取り付けておくことは任意であること、その他本発明の要旨を逸脱しない範囲内において種々変更を加え得ることは勿論である。
【００２４】
【発明の効果】
以上述べた如く、本発明の有脚式離岸堤の据付方法によれば、次の如き優れた効果を奏し得る。
（１）斜板と複数のジャケットからなる上部工を設置し、次いで、杭をジャケットに通し打設して各杭にて上部工を支持させた後、ジャケットと杭との間の隙間にグラウトを注入して固定する有脚式離岸堤の据付方法において、上記杭の長手方向に所要間隔を置いてプレートをリング状に取り付けて、該杭の上端側に取り付けられたリング状プレートの１つを、上部工設置時のジャケット下端部に位置するようにし、上部工の各ジャケットに杭を通して打設するときに該杭のリング状プレートをジャケット内面に沿わせながら杭を通すようにし、杭打設後、ジャケット下端部に位置するリング状プレートをグラウト留めとしてジャケット内にグラウトを注入するようにするので、杭の外側に取り付けたリング状プレートが緩衝材としての役割を果たして、杭が多少傾いてもリング状プレートの存在で杭がジャケット内面に直接当ることがなく、杭及びジャケット内壁を傷つけるおそれがなく、又、リング状プレートを杭の外側へ取り付けることから、スペーサをジャケット内壁に取り付ける場合に比して取り付けが簡単であり、更に、杭の上端側に取り付けるリング状プレートの１つはグラウト留めとして用いるようにすることから、余分なグラウトプールを設ける必要がなく、しかも、グラウト留めとしての機能を果たす上記リング状プレートをゴム製としても、打設前に杭に取り付ければよく、ゴムの劣化の問題は生じない。
（２）斜板と複数のジャケットからなる上部工を、打設された杭にジャケットを被せるようにして設置した後、ジャケットと杭との間の隙間にグラウトを注入して固定する有脚式離岸堤の据付方法において、上記杭の上端側に、長手方向に所要間隔を置いてプレートをリング状に取り付けて、該杭の上端側に取り付けられたリング状プレートの１つを、上部工が設置されたときのジャケット下端部に位置するようにし、杭を打設してから該杭の上端側のリング状プレートの外側に沿わせてジャケットを杭に被せるようにし、上部工の設置後に、ジャケット下端部に位置するリング状プレートをグラウト留めとしてジャケット内にグラウトを注入するようにすることにより、上記（１）の効果のほかに、杭の上端側にのみリング状プレートを取り付ければよいので、緩衝材としての役割を果たすプレートの数を減少でき、これにより取付け作業もより楽になる。
（３）リング状プレートを弾性を有するものとすることにより、ジャケットと杭の相対変位で変形しても容易に復元して緩衝材やグラウト留めとしての役割を果たし得る。
（４）リング状プレートの取付間隔をジャケットの長さより狭くしておくことにより、杭がジャケット内でリング状プレートに接する状態を実現できる。
【図面の簡単な説明】
【図１】本発明の有脚式離岸堤の据付方法の実施の一形態を示すジャケット下端部の拡大断面図である。
【図２】本発明の有脚式離岸堤の据付方法の実施の他の形態を示すジャケット下端部の拡大断面図である。
【図３】有脚式離岸堤の設置状態を示す概略側面図である。
【図４】従来の有脚式離岸堤の据付方法の一例としてジャケットに杭を通す状態を示す断面図である。
【図５】従来の有脚式離岸堤の据付方法の他の例として杭にジャケットを被せる状態を示すもので、（イ）は概要図、（ロ）は（イ）のＡ部の拡大図である。
【図６】図３のＢ部の拡大図である。
【符号の説明】
１　斜板
２　ジャケット
３　上部工
４　杭
１２　グラウト
１３，１３ａ　プレート（リング状プレート）
【図１】
2004060177.tif 000003
【図２】
2004060177.tif 000004
【図３】
2004060177.tif 000005
【図４】
2004060177.tif 000006
【図５】
2004060177.tif 000007
【図６】
2004060177.tif 000008